(57)【要約】      （修正有）【課題】消音器を管楽器に装着して吹奏したときにおいても、吹奏者にフィードバックされる振動や音を吹奏者が十分に受け取ることができる消音器を提供する。【解決手段】円盤形状の閉塞部１２の中央には、開口部１５が設けられている。開口部１５の縁にパイプ２１の一端が固定されている。パイプ２１の両端は開口している。パイプ２１の他端には音程調節部２３が設けられている。閉塞部１２の縁近傍には、略円環状の固定部２５が接合されている。固定部２５の外周側の端部は、断面が鉤形状となるように成形されている。閉塞部１２は、固定部２５の外周側の端部をベル３の端部の縁巻部に引っ掛けることによりベル３の端部に固定される。【選択図】図１
2015079096.tif 000002
【特許請求の範囲】
【請求項１】
管楽器のベルの端面を閉塞する閉塞部と、
前記閉塞部に設けられた開口部に一端が固定され、前記ベルの内側の空間と前記ベルの外側の空間とを連通させるパイプと、
前記パイプの他端側に固定された音程調節部と、
前記閉塞部を前記ベルの端部に固定する固定部と、
を有することを特徴とする消音器。
【請求項２】
管楽器のベルの端面を閉塞する閉塞部と、
前記閉塞部に設けられた開口部に一端が固定され、前記ベルの内側の空間と前記ベルの外側の空間とを連通させるパイプと、
前記パイプの他端側に固定された音程調節部と、
前記音程調節部を前記ベルのストレートテーパ部の内壁に固定する固定部と、
を有することを特徴とする消音器。
【請求項３】
前記音程調節部の外壁または前記音程調節部よりも後方に前記固定部を設けたことを特徴とする請求項２に記載の消音器。
【発明の詳細な説明】
【技術分野】
【０００１】
この発明は、消音器に関する。
【背景技術】
【０００２】
大きな音量で管楽器を吹奏することができない場所や状況において管楽器の吹奏練習をする場合がある。このようなときに、管楽器の音量を少なくする目的で消音器が使用される。従来の消音器（例えば特許文献１に開示の消音器など）は、筒状の本体部を有しており、その本体部の外壁に固定部が設けられている。この消音器は、この固定部をベルの内壁に接触させることで管楽器に固定される。ここで、管楽器におけるベルとは、音量を増大させるために管楽器の管の径が徐々に広げられた呼気の排出口付近の部分のことを言う。
【先行技術文献】
【特許文献】
【０００３】
【特許文献１】特許第２８６５０３０号公報
【発明の概要】
【発明が解決しようとする課題】
【０００４】
ところで、管楽器の吹奏者は、発音される音の音程や音量が適切なものとなるように、唇の筋肉を緊張させるときの具合や息の吹き込み具合を発音毎に瞬間的に調整している。吹奏者は、管楽器を吹奏したときに管楽器から吹奏者にフィードバックされる振動や音を頼りにこのような調整を行っている。管楽器から吹奏者にフィードバックされる振動や音の一例としては、以下のものが挙げられる。
（１）ベルの端面から放射されて吹奏者の耳に到達する音
（２）管楽器を保持する手などに伝わる吹奏時の管楽器自体の振動
（３）吹奏時のベルの振動によりベルの外壁から放射されて吹奏者の耳に到達する音
（４）マウスピースから唇や歯などに伝わる吹奏時のマウスピースの振動
【０００５】
消音器を管楽器に装着して吹奏すると、ベルの端面から放射される音の音量が減少する。これに加えて、消音器を管楽器に装着すると消音器がベルの内壁に接触するため、吹奏時に生じる管楽器の振動が消音器によって抑制される。このため、管楽器を保持する手などに伝わる管楽器自体の振動が減少する。また、ベルの振動が抑制されるため、ベルの外壁から放射されて吹奏者の耳に到達する音も減少する。これらより、消音器を管楽器に装着すると、吹奏者は、ベルの端面からの音、管楽器自体の振動およびベルの外壁からの音を十分に受け取ることができなくなる。ベルの端面からの音を十分に受け取ることができなくなることは、消音器がその本来の役割を果たした結果であるが、管楽器自体の振動およびベルの外壁からの音を十分に受け取ることができなくなることは、副次的に生じた好ましくない結果である。管楽器から吹奏者にフィードバックされる振動や音のうちベルの端面からの音に加えて管楽器の振動およびベルの外壁からの音までもが十分に受け取ることができなくなるため、これらのフィードバックされる振動や音を頼りに、音程や音量が適切なものとなるように、唇の筋肉を緊張させるときの具合や息の吹き込み具合を発音毎に瞬間的に調整する、ということが難しくなる。
【０００６】
この発明は以上のような事情に鑑みてなされたものであり、消音器を管楽器に装着して吹奏したときにおいても、吹奏者にフィードバックされる振動や音、特に管楽器自体の振動およびベルの外壁からの音を吹奏者が十分に受け取ることができる消音器を提供することを目的としている。
【課題を解決するための手段】
【０００７】
この発明は、管楽器のベルの端面を閉塞する閉塞部と、前記閉塞部に設けられた開口部に一端が固定され、前記ベルの内側の空間と前記ベルの外側の空間とを連通させるパイプと、前記パイプの他端側に固定された音程調節部と、前記閉塞部を前記ベルの端部に固定する固定部と、を有することを特徴とする消音器を提供する。
【０００８】
この発明によれば、管楽器のベルの端面を閉塞する閉塞部をベルの端部に固定する固定部が設けられている。ベルの端部は、消音器を装着しないで吹奏したときの振動が小さい部分であると推測される。吹奏時の振動が元々小さいと推測されるベルの端部に固定部を介して閉塞部を固定するのであるから、当該閉塞部を固定したとしても、吹奏時のベルの振動に影響を及ぼすことはない。このため、本消音器を管楽器に装着して吹奏したとき、ユーザは、消音器を管楽器に装着しないで吹奏したときと同様に、管楽器からフィードバックされる振動や音、特に管楽器自体の振動およびベルの外壁からの音を十分に受け取ることができる。
【０００９】
また、この発明は、管楽器のベルの端面を閉塞する閉塞部と、前記閉塞部に設けられた開口部に一端が固定され、前記ベルの内側の空間と前記ベルの外側の空間とを連通させるパイプと、前記パイプの他端側に固定された音程調節部と、前記音程調節部を前記ベルのストレートテーパ部の内壁に固定する固定部と、を有することを特徴とする消音器を提供する。
【００１０】
この発明によれば、音程調節部をベルのストレートテーパ部の内壁に固定する固定部が設けられている。ベルのストレートテーパ部は、ベルの端部と同様に、消音器を装着しないで吹奏したときの振動が小さい部分であると推測される。吹奏時の振動が元々小さいと推測されるベルのストレートテーパ部の内壁に固定部を介して音程調節部を固定するのであるから、当該音程調節部を固定したとしても、吹奏時のベルの振動に影響を及ぼすことはない。このため、本消音器を管楽器に装着して吹奏したとき、ユーザは、消音器を管楽器に装着しないで吹奏したときと同様に、管楽器からフィードバックされる振動や音、特に管楽器自体の振動およびベルの外壁からの音を十分に受け取ることができる。
【図面の簡単な説明】
【００１１】
【図１】この発明の第１実施形態による消音器１の構成を示す縦断面図および正面図である。
【図２】ベル３の端部の構成およびベル３の端部に取り付けられた同消音器１の固定部２５の構成を拡大して示す拡大縦断面図である。
【図３】ベル３の構成を示す縦断面図である。
【図４】この発明の第２実施形態による消音器１Ａの構成を示す縦断面図である。
【発明を実施するための形態】
【００１２】
以下、図面を参照し、この発明の実施形態について説明する。
＜第１実施形態＞
本実施形態による消音器１は、トランペット用の消音器である。以下、本明細書では、ベルにおける管楽器（トランペット）の管の径が徐々に小さくなる方向を後方と呼び、ベルにおける管楽器の管の径が徐々に大きくなる方向を前方と呼ぶ。
【００１３】
図１（Ａ）は、この発明の第１実施形態による消音器１の構成を示す縦断面図であり、図１（Ｂ）は、同消音器１を前方から見たときの同消音器１の構成を示す正面図である。図１（Ａ）および（Ｂ）は、消音器１をトランペットに装着した状態を示す。
【００１４】
図１に示すように、消音器１は、閉塞部１２と、支持部２２と、パイプ２１と、音程調節部２３と固定部２５とを有する。
【００１５】
閉塞部１２は、ベル３の端面を閉塞するための部材である。閉塞部１２は、円盤状をなしている。閉塞部１２の直径は、ベル３の端面の直径よりも若干小さくなっている。閉塞部１２の中心には、当該閉塞部１２を貫通する円形断面の開口部１５が設けられている。
【００１６】
開口部１５の縁近傍における閉塞部１２の一方の面には、円筒状の支持部２２の一端が固定されている。以後、閉塞部１２における支持部２２が固定されている側の壁面を内壁と呼び、その反対側の壁面を外壁と呼ぶことがある。支持部２２の内側には、円筒状のパイプ２１の一端が挿入されている。このパイプ２１の一端は、開口部１５の縁に固定されている。パイプ２１における支持部２２の内側に挿入されている部分の外壁は、支持部２２の内壁に固定されている。
【００１７】
パイプ２１は、その一端から他端に亙ってその外径および内径が一定となっている。パイプ２１の回転軸（以下、単に軸という）は、閉塞部１２の壁面の法線に平行している。消音器１をトランペットに装着した状態において、パイプの２１の軸は、ベル３の回転軸（以下、単に軸という）に重なる。
【００１８】
パイプ２１の両端は開口している。パイプ２１は、当該パイプ２１の内側の空間を介してベル３の内側の空間とベル３の外側の空間とを連通させている。ベル３の内側の空間とは、消音器１の装着により当該消音器１によって閉塞されたトランペットの内側の空間のことを言い、ベル３の外側の空間とは、同トランペットの外側の空間のことを言う。パイプ２１は、吹奏によりトランペット内に吹き込まれた呼気をベル３の内側の空間からベル３の外側の空間に排出する役割を担う。パイプ２１の内径および開口部１５の径は、マウスピースの最小内径と同径以上となっている。
【００１９】
パイプ２１の他端近傍には音程調節部２３が設けられている。音程調節部２３は、ベル３の内壁に沿うようにしてパイプ２１の他端に向かって外径および内径が小さくなっている。すなわち、閉塞部１２がベル３の端面を閉塞した状態において、音程調節部２３の外壁は、ベル３の内壁に向けて張り出している。音程調節部２３の大径側端２３ａは、開口している。音程調節部２３の小径側端２３ｂは、パイプ２１の他端に固定されて閉塞している。
【００２０】
閉塞部１２の縁近傍には、固定部２５が設けられている。固定部２５は、閉塞部１２をベル３の端部に固定するための部材である。すなわち、消音器１は、固定部２５を介してトランペットに装着される。固定部２５は、略円環形状をなしており、閉塞部２５の円周に亙って設けられている。固定部２５は、例えば、ゴムなどの適度な硬度と適度な柔軟性を兼ね備えた素材により形成される。
【００２１】
図２は、ベル３の端部の構成およびベル３の端部に取り付けられた同消音器１の固定部２５の構成を拡大して示す拡大縦断面図である。図２に示すように、固定部２５の内周側の端部は、閉塞部１２の縁近傍において、閉塞部１２の両壁面から当該閉塞部１２を挟み込んでいる。そして、この固定部２５の内周側の端部は、閉塞部１２の縁部分に接合している。
【００２２】
ベル３の端部は、縁輪３２と縁巻部３１とから構成されている。縁輪３２は、円環形状をなしている。縁輪３２は、金属などから形成される。縁巻部３１は、ベル部材の先端部分であり、縁輪３２を外巻に巻き込んだ形状に加工された部分である。
【００２３】
固定部２５の外周側の端部は、ベル３の端部の縁巻部３１に取り付けられる部分である。固定部２５の外周側の端部は、断面が鉤形状となるように成形されている。より詳細に説明すると、固定部２５の外周側の端部は、その先端に進むに従って、後方（換言すると、閉塞部１２に対してパイプ２１が設けられている方向）に丸く曲がり、パイプ２１の軸に向かう方向に丸く曲がっている。固定部２５の外周側の端部は、ベル３の端部の縁巻部３１の外壁に沿うように曲がっている。
【００２４】
固定部２５の外周側の端部は、当該端部が形成する鉤の内側に縁巻部３１を収容するように縁巻部３１に引っ掛けられる。このようにして固定部２５の外周側の端部が縁巻部３１に取り付けられると、閉塞部１２がベル３の端部（より正確には縁巻部３１）に固定され、ベル３の端面が閉塞部１２および固定部２５により密閉される。そして、固定部２５、閉塞部１２、支持部２２、パイプ２１およびベル３により、ベル３の内側に空洞１３が形成される。また、固定部２５の外周側の端部が縁巻部３１に取り付けられたとき、当該固定部２５の外周側の端部のみがベル３に接触し、当該消音器１の他の部分はベル３に接触しない。
以上が、消音器１の構成である。
【００２５】
本実施形態による消音器１は、前述のように消音器１（より正確には閉塞部１２）をベル３の端部（より正確には縁巻部３１）に固定するようにしたことに特徴の１つがある。このようにした理由を以下に説明する。
【００２６】
消音器がトランペットに装着されていない場合を述べる。消音器が装着されていないトランペットを吹奏すると、その吹奏に従ってベル３が振動する。図３は、ベル３の構成を示す断面図である。図３に示すように、ベル３は、ベル３の端部３５、ストレートテーパ部３６およびフレア部３７に大きく区分することができる。発明者は、吹奏時のベル３の振動の大きさがベル３のこれら各部によって異なるであろう、と推測した。
【００２７】
ベル３の端部３５は、ベル３における前方の部分であり、縁巻部３１近傍の部分である。ベル３の端部３５は、前述のように、縁巻部３１が縁輪３２を巻き込んだ形状に加工されることにより形成されている。このため、縁巻部３１は、縁輪３２により抑えつけられていると言える。従って、ベル３の端部３５は後述するフレア部３７に比べて吹奏時の振動の大きさが小さい、と推測される。
【００２８】
ストレートテーパ部３６は、ベル３における後方の部分であり、管の径が広げられる度合いが小さい部分である。ストレートテーパ部３６は、トランペット本体に連続している。このため、トランペット本体によって抑えつけられていると言える。従って、ベル３のストレートテーパ部３６は後述するフレア部３７に比べて吹奏時の振動の大きさが小さい、と推測される。
【００２９】
フレア部３７は、ストレートテーパ部３６とベル３の端部３５との間の部分であり、管の径が広げられる度合いが大きい部分（すなわち、管の径が急激に広げられている部分）である。フレア部３７は、管内部の空気の振動を効率良く周囲の空間に放射させるためのものである。従って、フレア部３７は吹奏に従って大幅に振動する、と推測される。
【００３０】
吹奏時のベル３の振動は、主にベル３のフレア部３７の振動であると推測される。このため、吹奏時の振動が元々小さいベル３の端部３５に消音器１を接触させても、吹奏時のベル３の振動、すなわちベル３のフレア部３７の振動に影響を及ぼさないと言える。従って、本実施形態による消音器１では、固定部２５を介してベル３の端部３５に当該消音器１を固定するようにしたのである。
【００３１】
従来の消音器では、前述のように、固定部をベル３の内壁に接触させていたが、より詳細には、吹奏時の振動が大きいベル３のフレア部３７の内壁に接触させていた。すなわち、本実施形態による消音器１は、当該消音器１をベル３のフレア部３７の内壁に固定するのではなくベル３の端部３５に固定する点において従来の消音器と大きく異なる。
【００３２】
次に、本実施形態による消音器１の動作および使用態様を説明する。ユーザ（吹奏者）は、消音器１の使用に際し、消音器１を音程調節部２３側からトランペットのベル３内に挿入する。ユーザは、ベル３内に挿入した消音器１の閉塞部１２をベル３の端面近傍に位置させる。そして、ユーザは、固定部２５の外周側の端部をベル３の端部の縁巻部３１に引っ掛ける。このようにして消音器１をトランペットに装着した後、ユーザは、トランペットを吹奏する。
【００３３】
吹奏によりマウスピースから吹き込まれた呼気は、トランペット内を通過し、消音器１のパイプ２１の音程調節部２３側端からパイプ２１内に導かれ、パイプ２１内を通過し、開口部１５からベル３の外側の空間に排出される。
【００３４】
吹奏によりトランペット内に生じた音波は、音程調節部２３の外壁とベル３の内壁との隙間から空洞１３に伝わる。空洞１３は、前方に進むに従って当該空洞１３の断面積が次第に大きくなっている。このため、空洞１３内の音響インピーダンスは、ベル３の軸に沿って次第に変化する。このことから、空洞１３内において前方へ進行する音波の一部は、ベル３の軸方向の各位置において反射する。また、空洞１３内において前方へ進行して閉塞部１２の内壁に当たった音波は、当該閉塞部１２の内壁によって後方へ反射する。反射して後方へ進行する音波は、前方へ進行する音波と干渉する。これにより、空洞１３において音波のエネルギーが減少し、消音される。
【００３５】
また、消音器１を装着しない状態では、ベル３の端面は、音響的に音圧の節となる。消音器１を装着した状態では、円盤状の閉塞部１２によってベル３の端面が閉塞されるため、ベル３の端面は、音響的に音圧の腹となる。このため、消音器１を装着して吹奏したときの音程が消音器１を装着しないで吹奏したときの音程からずれるとも思える。しかし、本実施形態による消音器１では、音程調節部２３を設けることにより、消音器１を装着して吹奏したときの音程が消音器１を装着しないで吹奏したときの音程からずれるのを防止している。
【００３６】
このように、本実施形態による消音器１は、ベル３の端面を閉塞する閉塞部１２を有している。閉塞部１２の縁には、略円環形状の固定部２５が接合されている。固定部２５の外周側の端部は、鉤形状となっている。消音器１の装着時において、固定部２５の外周側の端部は、ベル３の端部３５に引っ掛けられる。前述したように、ベル３の端３５部は、管の径が急激に広げられているフレア部３７に比べ、吹奏時の振動が元々小さいと推測される。本実施形態による消音器１は、吹奏時の振動が元々小さいと推測されるベル３の端部３５に固定され、吹奏時の振動が大きいと推測されるベル３のフレア部３７に接触しない。ベル３の端部３５は吹奏時の振動が元々小さいのであるから、消音器１をベル３の端部３５に固定しても、ベル３の振動、すなわちベル３のフレア部３７の振動に影響を及ぼさない。すなわち、吹奏時に生じるベル３のフレア部３７の振動を消音器によって抑制してしまうのを回避することができる。
【００３７】
従って、本実施形態による消音器１を使用することで、ユーザは、消音器をトランペットに装着して吹奏したときにおいても、消音器を装着しないで吹奏したときと同様に、ユーザにフィードバックされる振動や音、特に、トランペット自体の振動およびベル３の外壁からの音を十分に受け取ることができる。このため、ユーザは、本実施形態による消音器１を装着して吹奏した場合、音程や音量が適切なものとなるように唇の筋肉を緊張させるときの具合や息の吹き込み具合を発音毎に瞬間的に調整する、ということを、トランペット自体の振動やベル３のフレア部３７の外壁からの音を頼りに、消音器を装着しないで吹奏したときと同様に行うことができる。
【００３８】
＜第２実施形態＞
図４は、この発明の第２実施形態による消音器１Ａの構成を示す縦断面図である。本実施形態による消音器１Ａは、さらに固定部２６を設けた点において第１実施形態による消音器１と異なる。
【００３９】
固定部２６は、音程調節部２３をベル３のストレートテーパ部３６の内壁に固定させるための部材である。ストレートテーパ部３６は、第１実施形態において説明したように、吹奏時の振動が小さいと推測される部分である。固定部２６は、略直方体のブロック状の部材である。固定部２６は、固定部２５と同様に、例えば、ゴムなどの適度な硬度と適度な柔軟性を兼ね備えた素材により形成される。固定部２６は、音程調節部２３における小径側端２３ｂ近傍の外壁に複数個設けられている。各固定部２６は、パイプ２１の軸周りの方向に分散して配置されている。本実施形態では、パイプ２１の軸周りの方向の９０度毎に配置されるが、固定部２６の数および配置はこれに限られない。また、各固定部２６間は開口している。
【００４０】
音程調節部２３は、消音器１Ａをトランペットに装着したときに、固定部２６がベル３のストレートテーパ部３６の内壁に接するように設けられている。すなわち、音程調節部２３が固定されているパイプ２１は、固定部２６がこのような状態になるような長さを有する。
【００４１】
消音器１Ａを使用する際、ユーザは、第１実施形態による消音器１と同様に、消音器１Ａを音程調節部２３側からベル３内に挿入し、閉塞部１２をベル３の端面に位置させ、固定部２５の外周側の端部をベル３の端部３５の縁巻部３１に取り付ける。これにより、閉塞部１２は、固定部２５によってベル３の端部３５の縁巻部３１に固定される。本実施形態による消音器１Ａでは、固定部２５の外周側の端部をベル３の端部３５の縁巻部３１に取り付けると、音程調節部２３の外壁に設けられている固定部２６がベル３のストレートテーパ部３６の内壁に接触する。これにより、音程調節部２３は、固定部２６によってベル３のストレートテーパ部３６に固定される。また、消音器１Ａでは、固定部２５および２６以外は、ベル３に接触しない。
【００４２】
消音器１Ａの装着後の吹奏によりトランペット内に生じた音波は、音程調節部２３における小径側端２３ｂ近傍の外壁に設けられている各固定部２６間から音程調節部２３の外壁とベル３の内壁との隙間に伝わり、当該隙間から空洞１３に伝わる。空洞１３に伝わった音波は、第１実施形態による消音器１と同様にして、当該空洞１３において消音される。また、消音器１Ａの装着後の吹奏によりトランペット内に吹き込まれた呼気は、第１実施形態と同様にして排出される。
【００４３】
このように、本実施形態による消音器１Ａでは、吹奏時の振動が元々小さいと推測されるベル３の端部３５およびストレートテーパ部３６に当該消音器１Ａを固定する固定部２５および２６が設けられている。すなわち、本実施形態による消音器１Ａは、吹奏時の振動が大きいと推測されるベル３のフレア部３７に固定されない点において第１実施形態による消音器１と同様である。
従って、第１実施形態と同様の効果を奏する。
【００４４】
さらに、本実施形態による消音器１Ａは、当該消音器１Ａの前端と後端の各々の位置においてベル３に固定されることとなるため、第１実施形態による消音器１に比べ、より安定してベル３に固定されるという効果も奏する。
【００４５】
また、音程調節部２３は、当該音程調節部２３を音響的に音圧の節にさせるように働く。このため、音程調節部２３の位置では、音響的に音圧の腹になる位置に比べ、ベル３の振動が小さくなる。本実施形態による消音器１Ａでは、音響的に音圧の節となりベル３の振動が小さい音程調節部２３に固定部２６が設けられている。このため、固定部２６をベル３に接触させてもベル３の振動に大きく影響を及ぼすことはない。
【００４６】
＜他の実施形態＞
以上、この発明の第１および第２実施形態について説明したが、この発明には他にも実施形態が考えられる。例えば次の通りである。
【００４７】
（１）上記第１および第２実施形態では、トランペット用の消音器１および１Ａを例に説明したが、トランペット以外の管楽器に用いる消音器においても同様な消音器を設計することができるのは勿論である。
【００４８】
（２）第１実施形態では、消音器１をベル３の端部３５に固定しており、第２実施形態では、消音器１Ａをベル３の端部３５とベル３のストレートテーパ部３６の両方に固定していた。しかし、消音器をベル３の端部３５に固定せずに、ベル３のストレートテーパ部３６のみにおいて固定しても良い。要は、吹奏時の振動が大きいと推測されるベル３のフレア部３７に、その振動を抑制する消音器を固定しないようにすれば良いからである。消音器をベル３のストレートテーパ部３６のみにおいて固定する態様では、閉塞部１２によってベル３の端面を密閉するのが好ましい。ベル３の端面を密閉することにより、消音器が適切に消音機能を発揮することができるようになるからである。
【００４９】
（３）上記第１および第２実施形態による消音器１および１Ａの閉塞部１２は、円盤形状をなしていた。しかし、閉塞部は、円盤形状に限られない。例えば、閉塞部を皿状や椀状などの湾曲した形状にしても良い。閉塞部を湾曲した形状にしたとき、凹曲面側にパイプ２１を設けるようにすると良い。この態様では、閉塞部を円盤形状にした消音器に比べ、消音器を装着して吹奏したときの音程が消音器を装着しないで吹奏したときの音程からずれるのを少なくすることができる。
【００５０】
（４）上記第１および第２実施形態による消音器１および１Ａでは、外周側の端部が鉤形状となっている固定部２５の当該外周側の端部をベル３の縁巻部３１に引っ掛けることで閉塞部１２をベル３の端部３５に固定していた。しかし、閉塞部１２をベル３の端部３５に固定する態様は、これに限られない。閉塞部１２をベル３の端部３５に固定することができれば良いからである。閉塞部１２をベル３の端部３５に固定する他の態様として、例えば、ベル３の端部３５の外周に沿って紐状部材（例えばベルトなど）を巻きつけて当該ベル３の端部３５の外壁上において当該紐状部材を留めるようにし、閉塞部１２の縁に接合された布状部材の外周側の端部を紐状部材に引っ掛けて折りたたみ、その折りたたんだ内側の面を面ファスナーで留める、という態様が挙げられる。この態様では、ベル３の端部３５の外壁上の紐状部材が縁巻部３１における後方側の壁面に引っ掛かり、紐状部材に留めた布状部材を介して閉塞部１２がベル３の端部３５に固定される。この態様においても、上記第１および第２実施形態と同様の効果を奏する。
【００５１】
（５）上記第２実施形態による消音器１Ａの固定部２６は、音程調節部２３における小径側端２３ｂの外壁に設けられていた。しかし、固定部２６が設けられる位置は、小径側端２３ｂ近傍に限られない。固定部２６は、音程調節部２３をベル３のストレートテーパ部３６の内壁に固定することができれば良いからである。例えば、固定部２６は、音程調節部２３における大径側端２３ａの外壁に設けられても良い。
【００５２】
また、固定部２６は、音程調節部２３をベル３のストレートテーパ部３６の内壁に固定することができれば良いため、音程調節部２３の外壁ではなく、音程調節部２３よりも後方に設けられていても良い。例えば、音程調節部２３よりも後方にパイプ２１を延長させ、その延長させたパイプ２１の先端の外壁に固定部２６を設ける、という具合である。この態様によれば、固定部２６は、音程調節部２３をベル３のストレートテーパ部３６の内壁にパイプ２１を介して固定する。従って、この態様においても、第２実施形態と同様の効果を奏する。
【００５３】
また、ベル３のストレートテーパ部３６は、フレア部３７に比べ、ベル３の軸方向の寸法が長い。固定部２６は、音程調節部２３をベル３のストレートテーパ部３６の内壁に固定することができれば良いため、ストレートテーパ部３６におけるベル３の軸方向の何れの位置において音程調節部２３を固定しても良い。また、音程調節部２３を介して固定部２６を固定しているパイプ２１の長さを調節する等により、固定部２６のベル３の軸方向の位置を調節しても良い。
【００５４】
（６）閉塞部１２の外壁に、手指を掛けるための部材（例えば、人差し指を挿入して引っ掛けることができるリングなど）を設けても良い。これにより、ユーザは、消音器１および１Ａを容易に取り外すことができるようになる。
【符号の説明】
【００５５】
１，１Ａ…消音器、３…ベル、１２…閉塞部、１３…空洞、１５…排気口、２１…パイプ、２２…支持部、２３…音程調節部、２３ａ…大径側端、２３ｂ…小径側端、２５，２６…固定部、３１…縁巻部、３２…縁輪、３５…ベルの端部、３６…ストレートテーパ部、３７…フレア部。
【図１】
2015079096.tif 000003
【図２】
2015079096.tif 000004
【図３】
2015079096.tif 000005
【図４】
2015079096.tif 000006